(57)【要約】      （修正有）【課題】展示場等では来場者等に対して、印刷物や音声での案内ガイドを行い、且つ人間がぶつかった時にも怪我をしにくく、しかもゴム研磨粉を再利用したゴム製の案内ガイド用ポールを提供する。  【解決手段】原料ゴム材料にゴム研磨粉を配合したゴム組成物を成形および加硫して得られたゴム製筒体１と、表面に装飾用又は案内用の文字または図形が印刷され、筒体１の上部開口に着脱自在の蓋板２と、筒体内部の音声出力部と人体検知センサとを備える。【選択図】図１ａ
0003157046.tif 000002
【実用新案登録請求の範囲】
【請求項１】
床面から立設される案内ガイド用ポールであって、原料ゴム材料にゴム研磨粉を配合したゴム組成物を成形および加硫して得られたゴム製筒体と、
この筒体の上部開口に着脱自在に取付けられ、該上部開口を塞ぐと共に、表面に装飾用又は案内用の文字又は図形が印刷された蓋板と
を備えたことを特徴とする案内ガイド用ポール。  
【請求項２】
前記筒体の内部は、人体検知センサと、この人体検知センサからの検知信号に基づいて音声を出す音声出力部が設けられていることを特徴とする請求項１に記載の案内ガイド用ポール。
【考案の詳細な説明】
【技術分野】
【０００１】
本考案は、ゴム工場で廃棄されていたゴム研磨粉を再利用したゴム製の案内ガイド用ポールに関する。
【背景技術】
【０００２】
従来、屋外、屋内を問わず、イベント会場、展示場、駐車場等での人員、車両の誘導、あるいは立ち入り禁止を知らせるため等に、例えば、金属製、プラスチック製、ゴム製等の案内ガイド用ポールが設置され使用されてきた。
【０００３】
金属製のポールは耐久性には優れているものの、重量があるため再度の設置作業を行う時に作業員の負担になりやすかった。またプラスチック製のポールは軽量だが、破損しやすかった。
一方、ゴム製のポールは、人間がぶつかった際に、金属製やプラスチック製等のポールと比べて、怪我をすることが少なく、また、車両が衝突した際にも、車両とポールのそれぞれの損傷を防止することができ、好適であった（特許文献１）。
【０００４】
一方、近年、関心が高まっている環境保護、資源の有効利用の観点から、例えば、廃材を再利用して作られるか、もしくは再利用が可能な素材からなるポールが望ましい。また、展示場等では来場者等に対して、音声での案内ガイドを行うことが望まれていた。
【先行技術文献】
【特許文献】
【０００５】
【特許文献１】実開平０７‐０２５０１９号公報
【考案の概要】
【考案が解決しようとする課題】
【０００６】
本考案は、展示場等で来場者等の案内ガイドを行い、且つ人間がぶつかった時にも怪我をしにくく、しかもゴム研磨粉を再利用したゴム製の案内ガイド用ポールを提供することを課題とする。
【課題を解決するための手段】
【０００７】
本考案の案内ガイド用ポールは、床面から立設される案内ガイド用ポールであって、原料ゴム材料にゴム研磨粉を配合したゴム組成物を、成形および加硫して得られたゴム製筒体と、この筒体の上部開口に着脱自在に取付けられ、該上部開口を塞ぐと共に、表面に装飾用又は案内用の文字又は図形が印刷された蓋板とを備えたことを特徴とする。
【０００８】
本考案の案内ガイド用ポールは、前記筒体の内部に人体検知センサと、この人体検知センサからの検知信号に基づいて音声を出す音声出力部が設けられているのが好ましい。
【考案の効果】
【０００９】
本考案の案内ガイド用ポールは、原料ゴム材料にゴム研磨粉を配合したゴム組成物を成形および加硫して得られたゴム製筒体を備えるため、従来廃棄されていたゴム研磨粉の再利用が可能であり、且つ廃材を利用しているため廃棄物の削減にも貢献でき、環境に優しく、しかも、ゴム製筒体であるので、誤って人や物がぶつかった際にも怪我や破損を少なくすることができる。また、この筒体の上部開口を塞ぎ、表面に装飾用又は案内用の文字又は図形が印刷された蓋板により、見た目でも案内がわかりやすく、また蓋板は展示物等に合わせて交換可能である。
さらに、筒体の内部には人体検知センサと、この人体検知センサからの検知信号に基づいて音声を出す音声出力部を設ける時は、来場者等に対して、好適に施設等の案内ガイドをすることができるという効果がある。
【図面の簡単な説明】
【００１０】
【図１ａ】本考案に係る案内ガイド用ポールの一実施形態を示す正面図である。
【図１ｂ】本考案に係る案内ガイド用ポールの一実施形態を示す側面図である。
【図２】図１ｂのＡ−Ａ´間の断面図である。
【図３】本考案に係る案内ガイド用ポールの一使用形態を示す正面図である。
【考案を実施するための形態】
【００１１】
以下、図面を用いて、本考案に係る案内ガイド用ポールを説明する。図１ａ、図１ｂおよび図２は本考案に係る案内ガイド用ポール１０の一実施形態を示す正面図、側面図および断面図である。
【００１２】
本考案の案内ガイド用ポール１０は、図１ａ、図１ｂに示すように、原料ゴム材料に、ゴム研磨粉を配合したゴム組成物を、成形および加硫して得られたゴム製筒体１と、この筒体の上部開口を塞ぎ、表面に装飾用又は案内用の文字又は図形（以下、印刷物２０とする）が印刷された着脱自在な蓋板２とを備え、筒体の内部には筒体の前面に設けられた開口７から人を検知する人体検知センサ６と、この人体検知センサ６からの検知信号に基づいて筒体の前部開口９より音声を出す音声出力部５を有するものである。
またゴム製筒体１の側面には、それぞれチェーンフック３が取り付けられており、ゴム製筒体１の下部には、一体形成された底板８と固定具４が設けられている。
【００１３】
ゴム製筒体１は、原料ゴム材料に、ゴムベルト等の研磨で排出されたゴム研磨粉を配合したゴム組成物を配合した後、素練りし、前記した加工助剤や老化防止剤、補強剤、軟化剤、架橋剤等を混合し、成形した後、金型に入れ、プレスまたは押し出し成形後加硫缶等で熱を加えて加硫して製造することができる。
【００１４】
ゴム研磨粉および原料ゴム材料の種類は、特に制限されないが、例えば天然ゴムや、クロロプレンゴム、エチレンプロピレンゴム、スチレン・ブタジエンゴム、アクリルゴム、イソプレンゴム、シリコーンゴム、フッ素ゴム等の合成ゴムが挙げられる。また、原料ゴム材料は、天然ゴムと、合成ゴムを混合したバージンゴムであることが好ましい。
【００１５】
また、原料ゴム材料１００質量部に対して、前記ゴム研磨粉は１００〜３００質量部配合することが好ましい。
原料ゴム材料とゴム研磨粉が、上記の範囲内の配合割合であると、ゴム製品は従来と同等の耐衝撃性や衝撃吸収性を有するゴム製品を製造することができる。
【００１６】
尚、本考案に係るゴム製筒体１の成形にはプレス機または押出機を用いることができ、特にプレス機が好ましい。
【００１７】
本考案におけるゴム製筒体１は、原料ゴム材料にゴム研磨粉を配合したゴム組成物を成形、加硫して得られるものであるが、この時、前記ゴム組成物が、原料ゴム材料１００質量部に対して、ゴム研磨粉１００〜３００質量部と、再生ゴム材料１０〜１００質量部と、加工助剤１０〜３０質量部と、老化防止剤２〜１５質量部と、充填剤５〜６０質量部と、補強剤５０〜２００質量部と、軟化材２０〜１００質量部と、硫黄である架橋剤２〜２０質量部とを配合したものである。
【００１８】
本考案に係るゴム製筒体１の形状は、特に限定されず、例えば角筒、円筒等であってもよく、図２に示すような断面がＤ字型の筒体であってもよい。
【００１９】
前記したゴム製筒体１の開口部を塞ぐ蓋板２は、印刷物２０が印刷された面の反対側に突起２´が設けられている。突起２´形状は、ゴム製筒体１の該開口部に着脱自在に嵌合する、１つもしくは複数の突起物からなるものである。これはイベントや展示内容ごとに、異なる印刷物２０が表示された蓋板２を入れ替えることにより、筒体１を再利用することが可能になるためである。
突起２´と該開口部と接合方法は他にも例示でき、例えば、突起２´が円柱状であった場合、ゴム製筒体１の開口部に螺合させて接合することもできる。
蓋板２および突起２´の材質は特に制限されるものではなく、例えばゴム、プラスチック、木材、金属等でもよく、また前記ゴム製筒体１と同じゴム組成物からなるものであってもよい。また、蓋板２と突起２´はそれぞれ異なる材質でもよいし、同一であってもよい。
【００２０】
蓋板２の表面に示されている印刷物２０は、蓋板２に直接印刷されてあってもよいし、印刷されたシール等で蓋板２に貼り付けられていてもよい。
また、前記蓋板２は印刷物２０以外にも、装飾用または案内用として、例えば電球、ＬＥＤライト、回転灯等を備えていてもよい。
【００２１】
前記ゴム製筒体１の側面には、それぞれチェーンフック３が備えられている。チェーンフック３は、複数の案内ガイド用ポール１０同士をロープやチェーン等にて連結させる時に使用するものであり、その形状や材質は特に制限されるものではなく、例えば、ゴム、木材、金属、プラスチック等が挙げられる。
【００２２】
また、前記ゴム製筒体１の下部には、一体形成させた固定具４と底板８が固定又は着脱自在に備えられている。固定具４の材質は特に限定されるものではなく、例えば、ゴム、木材、プラスチック等が挙げられるが、好ましくは金属がよく、また、その形状は円柱状や角柱状等、適宜に選択使用される。固定具４を使用すれば、会場内の設置溝に案内ガイド用ポール１０を着脱自在に差し込み固定することができる。
【００２３】
前記したゴム製筒体１は、筒体の空洞部に、人体検知センサ６と、この人体検知センサ６からの検知信号に基づいて音声を出す音声出力部５を備えることが可能である。
音声出力部５は、ゴム製筒体１の内部に入るものであるならば特に制限されるものではないが、電源ケーブル等の有線で電力を供給され、設置が煩雑になるものより、電源が内臓されているもの、例えば、太陽光発電や乾電池式等の方がより好ましい。
ここでいう音声出力部５とは、後述する人体検知センサ６の反応と連動して、人がある一定の範囲に接近した際に、音声を流すものである。例えば、音源とアンプ、音源が内臓されたスピーカー等についても音声出力部５とする。
また、音声出力部５は、後述するゴム製筒体１上の前部開口９、あるいは開口７を通して音声を出すことができる。
【００２４】
前記した人体検知センサ６は、前記ゴム製筒体１上の開口７から、人体を感知するものであり、ゴム製筒体１の空洞部に備えられているものである。前記人体検知センサ６は、特に制限されないが、小型で人体に反応しやすい赤外線センサ、熱線センサ等が好ましく、連動する音声出力部５に、有線もしくは無線にて音声出力の指示を入れる。
【００２５】
前記開口７はゴム製筒体１上に設けられ、人体検知センサ６の検知部が外部を感知するためのゴム製筒体１の内部までの貫通孔であり、設置場所は特に制限されるものではないが、人体を検知するという点から、ゴム製筒体１の前面および上部にある方が好ましく、その径も人体の検知に必要最低限あればよい。
【００２６】
前部開口９は、ゴム製筒体１内部に設けられた音声出力部５からの音声を外部に出すための開口であり、その径は前記開口７の径よりも大きい。また、音声を必要としない場合には前部開口９は設けなくてもよい。
【００２７】
底板８はゴム製筒体１の底部に着脱自在に嵌合して接続されるものであり、その材質は特に制限されず、例えば、ゴム、木材、プラスチック等が挙げられるが、好ましくは金属がよい。また図３に図示するように、案内ガイド用ポール１０を、その固定具を床面３０に設けた穴に挿入して、会場の床面３０に直接立設させることができる。
【００２８】
本考案の案内ガイド用ポール１０は、チェーンフック３を用いて複数個が、例えば鉄、プラスチック等のチェーンやロープ３１で、それぞれ連結して用いることが可能である。
上記の場合、例えば、来場者に立ち入り禁止等の指示を明確に示すことが可能であり、さらに、来場者が案内ガイド用ポール１０に近づいた際に、人体検知センサ６が人の接近を検知し、音声案内が流れると、より指示が明確になってよい。
【００２９】
また、人体検知センサ６を応用して、人が近づくと、音声ではなく、案内ガイド用ポール１０上に取付けられた例えば回転灯やライト等が発光し、通路や展示物を来場者に判別させることも可能である。
【符号の説明】
【００３０】
１    ゴム製筒体
２    蓋板
３    チェーンフック
４    固定具
５    音声出力部
６    人体検知センサ
７    開口
８    底板
９    前部開口
１０  案内ガイド用ポール
２０  印刷物
３０  床面
３１  ロープ
【図１ａ】
0003157046.tif 000003
【図１ｂ】
0003157046.tif 000004
【図２】
0003157046.tif 000005
【図３】
0003157046.tif 000006